(57)【要約】【課題】ユーザーレベルで空気調和機の設置を容易に行うことが可能な一体型空気調和機を提供する。【解決手段】一体型空気調和機１は、利用側となる熱交換器１１と、熱源側となる熱交換器２１とが１つの筐体３０内に設けられ、取り付け穴２ａを用いて外壁面２ｂに沿って室外に設置される。この一体型空気調和機１の筐体３０は、熱交換器１１を収容した上部空間３０ａと、熱交換器２１を収容し且つ上部空間３０ａとは仕切られた下部空間３０ｂとを内部に有していると共に、下部空間３０ｂと外部とを連通させるための開口部３２を備えている。また、吸い込み管４１及び吹き出し管４２は、伸縮可能に構成されており、上部空間３０ａと部屋内の空間との間で空気を循環させる。また、カバー部材５０は、吸い込み管４１及び吹き出し管４２の伸縮に伴って筐体３０に対する固定位置を変更可能であり、吸い込み管４１及び吹き出し管４２の筐体３０の外側に対応した部分及び取り付け穴２ａを覆う状態で外壁面２ｂに沿って配置される。【選択図】図１
2009041867.tif 000002
【特許請求の範囲】
【請求項１】
利用側となる第１熱交換器と、熱源側となる第２熱交換器と、前記第１熱交換器と前記第２熱交換器との間で冷媒を循環させる冷媒回路とが１つの筐体内に設けられ、部屋の壁に形成された取り付け穴を用いて外壁面に沿って室外に設置される一体型空気調和機であって、
前記筐体は、前記第１熱交換器を収容した第１空間と、前記第２熱交換器を収容し且つ前記第１空間とは仕切られた第２空間とを内部に有していると共に、前記第２空間と外気空間とを連通させるための開口部を備えており、
伸縮可能に構成されており、前記筐体内の前記第１空間と前記部屋内の空間との間で空気を循環させる空気通路管と、
前記空気通路管の伸縮に伴って前記筐体に対する固定位置を変更可能であり、前記空気通路管の前記筐体の外側に対応した部分及び前記取り付け穴を覆う状態で前記外壁面に沿って配置されるカバー部材とを備えていることを特徴とする一体型空気調和機。
【請求項２】
前記空気通路管の互いに異なる長さに対応した互いに異なる複数の固定位置のそれぞれにおいて前記カバー部材を前記筐体に対して固定可能な固定機構が設けられていることを特徴とする請求項１に記載の一体型空気調和機。
【請求項３】
前記カバー部材は、前記筐体に対する固定位置にかかわらず、前記開口部を塞がないように構成されていることを特徴とする請求項１または２に記載の一体型空気調和機。
【請求項４】
前記カバー部材は、前記筐体の外周面に沿って一方向に移動可能であって、
前記カバー部材には、前記開口部の幅以上の幅を有し且つ前記一方向に関して前記開口部の長さより長い貫通溝が形成されていることを特徴とする請求項３に記載の一体型空気調和機。
【請求項５】
前記空気通路管は、
前記取り付け穴を通過し且つ前記部屋内の空間の空気を前記第１空間に吸い込むための吸い込み管と、
前記取り付け穴を通過し且つ前記第１空間の空気を前記部屋内の空間に吹き出すための吹き出し管とを含んでいることを特徴とする請求項１〜４のいずれか１項に記載の一体型空気調和機。
【請求項６】
前記部屋内に設けられた電源に接続される電源コード及び前記部屋内に設けられるコントローラに接続される通信線の少なくとも一方が巻回された状態で前記筐体内に備えられていることを特徴とする請求項１〜５のいずれか１項に記載の一体型空気調和機。
【請求項７】
前記内壁面において前記取り付け穴を覆うように設置される室内パネルを備え、
前記室内パネルは前記カバー部材に取り付け可能であることを特徴とする請求項１〜６のいずれか１項に記載の一体型空気調和機。
【発明の詳細な説明】
【技術分野】
【０００１】
本発明は、室外に設置される一体型空気調和機に関する。
【背景技術】
【０００２】
一般的な空気調和機として、室内の壁面に設置される室内機と、室外に設置される室外機と、室内機の熱交換器と室外機の熱交換機との間で冷媒を循環させる冷媒回路とを備えた、所謂スプリット型の空気調和機が普及している。しかしながら、スプリット型の空気調和機を設置する場合に、冷媒回路の配管接続工事は専門的な知識が必要となることから、ユーザレベルで冷媒回路の配管接続工事を行うことが困難である。
【０００３】
そこで、上記した室内機に相当する室内ユニットと、室外機に相当する室外ユニットとを一体化して、冷媒回路の配管接続工事を不要にする一体型空気調和機が各メーカから種々提案されている。その中でも、室内空間を有効に活用するために、一体型空気調和機を室外に設置するもの等が提案されている（例えば、特許文献１〜３参照）。
【０００４】
上記特許文献１には、部屋の壁の上側に形成した第１通風口と下側に形成した第２通風口とを用いて外壁面に沿って設置される室外型の一体型空気調和機が開示されている。この特許文献１に記載の一体型空気調和機では、第１通風口及び第２通風口に至る経路を切り替えて、冷房時に上側の第１通風口から冷気を送風すると共に、暖房時に下側の第２通風口から暖気を送風する。
【０００５】
また、上記特許文献２には、建物の内壁と外壁との間の壁体内に、一体型空気調和機を収容する技術が開示されている。この特許文献２に記載の一体型空気調和機では、内壁に２つの開口部を設けて、当該開口部のそれぞれに室内機ユニットの吸気口と排気口とを嵌め込むことにより、当該吸気口と排気口とを室内に露出させる。また、外壁に２つの開口部を設けて、当該開口部のそれぞれに室外機ユニットの吸気口と排気口とを嵌め込むことにより、当該吸気口と排気口とを室内に露出させる。
【０００６】
また、上記特許文献３には、部屋の壁体の下側に形成した孔部に吸込みダクトを挿入すると共に、部屋の壁体の上側に形成した孔部に吹出しダクトを挿入して、吸込みダクトから吸い込まれた空気を調和して吹出しダクトから調和された空気を吹き出す屋外設置型の一体型空気調和機が開示されている。
【０００７】
【特許文献１】特開平７−３３２７０５号公報
【特許文献２】特開平９−７２５７２号公報
【特許文献３】特開２００３−２１４６４８号公報
【発明の開示】
【発明が解決しようとする課題】
【０００８】
上記特許文献１に記載の一体型空気調和機では、部屋の壁の上側に形成した第１通風口と下側に形成した第２通風口を介して、冷気又は暖気を室内に送風するため、一体型空気調和機の冷気の送風位置及び暖気の送風位置に合わせて第１通風口及び第２通風口を部屋の壁に形成して、それらの通風口に対して配管を通過させなければならない。しかしながら、上記した配管工事は、ユーザレベルで行うことができる作業ではないため、ユーザが一体型空気調和機の設置を行うことが困難である。
【０００９】
また、上記特許文献２に記載の一体型空気調和機では、建物の内壁と外壁との間の壁体内に当該一体型空気調和機を収容し、且つ、その収容された一体型空気調和機の室内機ユニットの吸気口及び排気口の位置に合わせて内壁に開口部を設けると共に室外機ユニットの吸気口及び排気口の位置に合わせて外壁に開口部を設けて、それらの開口部に対して配管を通過させなければならない。しかしながら、上記した配管工事は、ユーザレベルで行うことができる作業ではないため、ユーザが一体型空気調和機の設置を行うことが困難である。
【００１０】
また、上記特許文献３に記載の一体型空気調和機でも、一体型空気調和機の吸込みダクト及び吹出しダクトの位置に合わせて、部屋の壁体の上側及び下側に孔部を形成して、それらの孔部に対して配管を通過させなければならない。しかしながら、上記した配管工事は、ユーザレベルで行うことができる作業ではないため、ユーザが一体型空気調和機の設置を行うことが困難である。
【００１１】
そこで、この発明は、上記のような課題を解決するためになされたものであり、ユーザーレベルで空気調和機の設置及び移設を容易に行うことが可能な一体型空気調和機を提供することを目的とする。
【課題を解決するための手段】
【００１２】
第１の発明にかかる一体型空気調和機は、利用側となる第１熱交換器と、熱源側となる第２熱交換器と、第１熱交換器と第２熱交換器との間で冷媒を循環させる冷媒回路とが１つの筐体内に設けられ、部屋の壁に形成された取り付け穴を用いて外壁面に沿って室外に設置される一体型空気調和機であって、筐体は、第１熱交換器を収容した第１空間と、第２熱交換器を収容し且つ第１空間とは仕切られた第２空間とを内部に有していると共に、第２空間と外気空間とを連通させるための開口部を備えており、伸縮可能に構成されており、筐体内の第１空間と部屋内の空間との間で空気を循環させる空気通路管と、空気通路管の伸縮に伴って筐体に対する固定位置を変更可能であり、空気通路管の筐体の外側に対応した部分及び取り付け穴を覆う状態で外壁面に沿って配置されるカバー部材とを備えている。
【００１３】
この一体型空気調和機では、部屋の壁に形成された取り付け穴の高さに合わせて空気通路管の長さが調整できるので、配管工事不要でユーザーレベルで空気調和機の設置及び移設を容易に行うことができる。また、カバー部材は、空気通路管の筐体の外側に対応した部分及び取り付け穴を覆う状態で筐体に固定されるので、室外側の美観が向上する。
【００１４】
第２の発明にかかる一体型空気調和機は、第１の発明にかかる一体型空気調和機において、空気通路管の互いに異なる長さに対応した互いに異なる複数の固定位置のそれぞれにおいてカバー部材を筐体に対して固定可能な固定機構が設けられている。
【００１５】
この一体型空気調和機では、空気通路管の長さに合わせてカバー部材の固定位置を変更した状態で、カバー部材を筐体に対して容易に固定できる。
【００１６】
第３の発明にかかる一体型空気調和機は、第１又は第２の発明にかかる一体型空気調和機において、カバー部材は、筐体に対する固定位置にかかわらず、開口部を塞がないように構成されている。
【００１７】
この一体型空気調和機では、空気通路管の長さに合わせてカバー部材の位置が変更された場合でも、開口部は塞がれないので、熱源側となる第２熱交換器において熱交換が適正に行われる。
【００１８】
第４の発明にかかる一体型空気調和機は、第３の発明にかかる一体型空気調和機において、カバー部材は、筐体の外周面に沿って一方向に移動可能であって、カバー部材には、開口部の幅以上の幅を有し且つ一方向に関して開口部の長さより長い貫通溝が形成されている。
【００１９】
この一体型空気調和機では、カバー部材の筐体に対する固定位置にかかわらず、開口部を塞がないようにするためのカバー部材の構成を簡略化できる。
【００２０】
第５の発明にかかる空気調和機は、第１〜第４の発明のいずれかにかかる一体型空気調和機において、空気通路管は、取り付け穴を通過し且つ部屋内の空間の空気を第１空間に吸い込むための吸い込み管と、取り付け穴を通過し且つ第１空間の空気を部屋内の空間に吹き出すための吹き出し管とを含んでいる。
【００２１】
この一体型空気調和機では、吸い込み管と吹き出し管とを一箇所にまとめることで、室内側の美観及び簡易設置性が向上する。
【００２２】
第６の発明にかかる空気調和機は、第１〜第５の発明のいずれかにかかる一体型空気調和機において、部屋内に設けられた電源に接続される電源コード及び部屋内に設けられるコントローラに接続される通信線の少なくとも一方が巻回された状態で筐体内に備えられている。
【００２３】
この一体型空気調和機では、空気通路管の長さに合わせて電源コード及び通信線の長さを調整できる。また、室内電源を利用することができる。
【００２４】
第７の発明にかかる空気調和機は、第１〜第６の発明のいずれかにかかる一体型空気調和機において、内壁面において取り付け穴を覆うように設置される室内パネルを備えている。そして、室内パネルはカバー部材に取り付け可能である。
【００２５】
この一体型空気調和機では、梱包時のコンパクト化が実現できる。
【発明の効果】
【００２６】
以上の説明に述べたように、本発明によれば、以下の効果が得られる。
【００２７】
第１の発明では、部屋の壁に形成された取り付け穴の高さに合わせて空気通路管の長さが調整できるので、配管工事不要でユーザーレベルで空気調和機の設置及び移設を容易に行うことができる。また、カバー部材は、空気通路管の筐体の外側に対応した部分及び取り付け穴を覆う状態で筐体に固定されるので、室外側の美観が向上する。
【００２８】
また、第２の発明では、空気通路管の長さに合わせてカバー部材の固定位置を変更した状態で、カバー部材を筐体に対して容易に固定できる。
【００２９】
また、第３の発明では、空気通路管の長さに合わせてカバー部材の位置が変更された場合でも、開口部は塞がれないので、熱源側となる第２熱交換器において熱交換が適正に行われる。
【００３０】
また、第４の発明では、カバー部材の筐体に対する固定位置にかかわらず、開口部を塞がないようにするためのカバー部材の構成を簡略化できる。
【００３１】
また、第５の発明では、吸い込み管と吹き出し管とを一箇所にまとめることで、室内側の美観及び簡易設置性が向上する。
【００３２】
また、第６の発明では、空気通路管の長さに合わせて電源コード及び通信線の長さを調整できる。また、室内電源を利用することができる。
【００３３】
また、第７の発明では、梱包時のコンパクト化が実現できる。
【発明を実施するための最良の形態】
【００３４】
以下、図面に基づいて、本発明に係る一体型空気調和機の実施形態について説明する。
【００３５】
図１は、本発明の一実施形態に係る一体型空気調和機の全体構成を示した図である。図２は、図１に示した一体型空気調和機のカバー部材と筐体の開口部との関係を示した正面図である。図３は、図１に示した一体型空気調和機の取り付け穴部分の拡大図である。図４は、図１に示した一体型空気調和機の固定機構の拡大図である。図５は、図１に示した一体型空気調和機の梱包時の状態を示した図であり、図６は、図５に示した梱包時の一体型空気調和機の室内パネルの取付構造を示した拡大図である。以下、図１〜図６を参照して、本発明の一実施形態に係る一体型空気調和機１の構成について説明する。
【００３６】
本実施形態の一体型空気調和機１は、図１に示すように、スプリット型の空気調和機の室内機に相当する上部ユニット１０、室外機に相当する下部ユニット２０、及び、上部ユニット１０の熱交換器１１と下部ユニット２０の熱交換器２１との間で冷媒を循環させる冷媒回路（図示せず）とが１つの筐体３０内に設けられた一体型空気調和機であって、部屋の壁２に形成された取り付け穴２ａを用いて建物の外壁面２ｂに沿って室外に設置される。部屋の壁２に形成された取り付け穴２ａは、一般的に普及しているスプリット型の空気調和機の室内機と室外機とを接続するための配管工事用に設けられている既存の穴であって、本実施形態の一体型空気調和機１は、当該既存の取り付け穴２ａを用いて、設置可能である。
【００３７】
本実施形態の一体型空気調和機１は、図１及び図２に示すように、上部ユニット１０と、下部ユニット２０と、筐体３０と、吸い込み管４１及び吹き出し管４２と、カバー部材５０と、一対の固定機構６０と、室内パネル７０と、コントローラ８０とを備えている。
【００３８】
上部ユニット１０は、上記したようにスプリット型の空気調和機の室内機に相当し、利用側となる熱交換器１１と、当該熱交換器１１によって熱交換された空気を室内に導入するためのファン１２とを備えている。
【００３９】
下部ユニット２０は、上記したようにスプリット型の空気調和機の室外機に相当し、熱源側となる熱交換器２１と、当該熱交換器２１によって熱交換された空気を外部に放出するためのファン２２と、コンプレッサ２３と、通信線２４ａ及び電源コード２４ｂが巻回されたコードリール２４と、当該通信線２４ａ及び電源コード２４ｂが電気的に接続される電装ボックス２５とを備えている。通信線２４ａ及び電源コード２４ｂは、取り付け穴２ａを介して室内に導かれる。また、通信線２４ａの先端は、室内の壁面に設置されるコントローラ８０に接続されていると共に、電源コード２４ｂの先端は、室内電源３に接続される。
【００４０】
筐体３０は、図１に示すように、上部ユニット１０及び下部ユニット２０を内包している。この筐体３０の内部には、水平方向に沿って形成される仕切壁３１が設けられ、筐体３０内の空間が２つの空間（上部空間３０ａ及び下部空間３０ｂ）に仕切られている。そして、上部空間３０ａには上部ユニット１０が収容されていると共に、下部空間３０ｂには下部ユニット２０が収容されている。また、本実施形態では、図２に示すように、筐体３０には、下部空間３０ｂと外気空間とを連通させるための開口部３２が設けられている。この開口部３２は、下部空間３０ｂ内に収容される下部ユニット２０の熱交換器２１及びファン２２が外部に露出するように形成されており、熱交換器２１による熱交換が適性に行われ、且つ、ファン２２から吹き出される空気が適性に外部に導かれる。また、筐体３０の開口部３２が形成される側面の両端には、一対の係合孔３３が垂直方向に沿って所定の等間隔で複数設けられている。
【００４１】
図１に示すように、吸い込み管４１は、取り付け穴２ａを通過し且つ部屋内の空間の空気を上部空間３０ａに吸い込むために設けられている。また、吹き出し管４２は、取り付け穴２ａを通過し且つ上部空間３０ａの空気を部屋内の空間に吹き出すために設けられている。このように、吸い込み管４１及び吹き出し管４２は、一箇所にまとめられ上部空間３０ａから室内に導かれている。この吸い込み管４１及び吹き出し管４２は、いずれも伸縮ジャバラからなり、垂直方向に伸縮するようになっている。これにより、既存の取り付け穴２ａの位置に関わらず、吸い込み管４１及び吹き出し管４２の長さを調節することが可能となる。また、図３に示すように、吸い込み管４１の取り付け穴２ａに挿入される一方端部４１ａ及び吹き出し管４２の取り付け穴２ａに挿入される一方端部４２ａは、いずれも伸縮ジャバラからなり、取り付け穴２ａの方向に沿って伸縮するようになっている。これにより、壁２の厚さに関わらず、吸い込み管４１の一方端部４１ａ及び吹き出し管４２の一方端部４２ａを室内に至るまで伸縮させることが可能となる。また、吸い込み管４１の他方端部４１ｂは、図１に示すように、上部ユニット１０の熱交換器１１の近傍の位置に配置され、一方端部４１ａから吸い込まれた空気が熱交換器１１に導かれる。一方、吹き出し管４２の他方端部４２ｂは、ファン１２に接続され、熱交換器１１により熱交換された空気がファン１２によって吹き出し管４２を通過して室内に導かれる。
【００４２】
カバー部材５０は、図１及び図２に示すように、吸い込み管４１及び吹き出し管４２の筐体３０の外側に対応した部分及び取り付け穴２ａを覆い、筐体３０と共に一体型空気調和機１の外観を構成している。このカバー部材５０は、図２に示すように、筐体３０の外周面に沿って垂直方向に移動可能であって、筐体３０の開口部３２の幅Ｗ１以上の幅Ｗ２を有し且つ垂直方向に筐体３０の開口部３２の長さＬ１より長い長さＬ２を有する貫通溝５１を有している。そして、このカバー部材５０は、後述する固定機構６０により筐体３０に対して異なる位置で固定されても、筐体３０に対する固定位置にかかわらず、筐体３０の開口部３２を塞がないように構成されている。
【００４３】
一対の固定機構６０は、吸い込み管４１及び吹き出し管４２の伸縮に伴って、前記筐体３０に対するカバー部材５０の固定位置を変更可能にするために設けられている。この固定機構６０は、図４に示すように、略Ｌ字形状の固定金具６１と当該固定金具６１を回動可能に支持するヒンジ部（図示せず）とを含んでいる。この一対の固定機構６０は、カバー部材５０の下端に取り付けられている。そして、固定金具６１の先端の屈曲部６１ａを、筐体３０に複数設けられる係合孔３３に係合させることにより、カバー部材５０が所望の位置で固定される。
【００４４】
室内パネル７０は、図３に示すように、部屋の室内側から壁２に形成される取り付け穴２ａに取り付けられ、取り付け穴２ａ及び取り付け穴２ａに導かれる吸い込み管４１の一方端部４１ａ及び吹き出し管４２の一方端部４２ａを覆っている。これにより、室内側の美観が向上する。この室内パネル７０には、吸い込み管４１の一方端部４１ａに、室内の空気を導く導通口７１と、吹き出し管４２の一方端部４２ａから吹き出される空気を導く導通口７２とが設けられている。また、本実施形態では、室内パネル７０は、図５及び図６に示すように、カバー部材５０に取り付け可能であって、一体型空気調和機１を搬送する際の梱包時に当該室内パネル７０がカバー部材５０に対して固定される。
【００４５】
コントローラ８０は、図１に示すように、一体型空気調和機１の各種制御を行うために設けられており、暖房及び冷房の切り替えや温度設定などを行う。このコントローラ８０には、上記したコードリール２４の通信線２４ａが接続されている。
【００４６】
図７〜図９は、図１に示した一体型空気調和機１の設置方法を説明するための図である。次に、図１及び図７〜図９を参照して、本発明の一実施形態に係る一体型空気調和機１の設置方法について説明する。
【００４７】
まず、ユーザは、図７に示すように、一体型空気調和機１を準備する。そして、図８に示すように、既存の取り付け穴２ａの高さ位置に合うよう伸縮ジャバラからなる吸い込み管４１及び吹き出し管４２を伸縮させると共に、伸縮させた吸い込み管４１及び吹き出し管４２の長さに合わせてカバー部材５０を垂直方向に移動させて、所望の位置で一対の固定金具６１を一対の係合孔３３に係合させてカバー部材５０を固定する（図４参照）。そして、ユーザは、吸い込み管４１の一方端部４１ａ及び吹き出し管４２の一方端部４２ａを壁２の厚みに合わせて伸縮させる。そして、ユーザは、図９に示すように、一体型空気調和機１を建物の外壁面２ｂに沿って配置し、壁２の取り付け穴２ａに対して、伸縮させた吸い込み管４１の一方端部４１ａ及び吹き出し管４２の一方端部４２ａを挿入する。この際、通信線２４ａ、当該通信線２４ａの先端のコントローラ８０及び電源コード２４ｂを、取り付け穴２ａを介して、室内に配置しておく。そして、図１に示すように、室内側から室内パネル７０を取り付け穴２ａに嵌め込んだ後、コントローラ８０を室内の壁面に設置すると共に、電源コード２４ｂの先端を室内電源３に接続する。上記のようにして、ユーザレベルで一体型空気調和機１を設置することができる。
【００４８】
［本実施形態にかかる一体型空気調和機１の特徴］
本実施形態の一体型空気調和機１には、以下のような特徴がある。
【００４９】
本実施形態の一体型空気調和機１では、筐体３０内の上部空間３０ａと部屋内の空間との間で空気を循環させる吸い込み管４１及び吹き出し管４２を伸縮可能に構成することによって、部屋の壁２に形成された取り付け穴２ａの高さに合わせて吸い込み管４１及び吹き出し管４２の長さが調整できるので、配管工事不要でユーザーレベルで空気調和機の設置及び移設を容易に行うことができる。
【００５０】
また、本実施形態では、カバー部材５０は、吸い込み管４１及び吹き出し管４２の筐体３０の外側に対応した部分及び取り付け穴２ａを覆う状態で筐体３０に固定されるので、室外側の美観が向上する。
【００５１】
また、本実施形態では、固定機構６０を設けることによって、吸い込み管４１及び吹き出し管４２の長さ応じた位置においてカバー部材５０を筐体３０に対して固定することができるので、吸い込み管４１及び吹き出し管４２の長さに合わせてカバー部材５０の固定位置を変更した状態で、カバー部材５０を筐体３０に対して容易に固定できる。
【００５２】
また、本実施形態では、カバー部材５０は、筐体３０に対する固定位置にかかわらず、開口部３２を塞がないように構成されているので、吸い込み管４１及び吹き出し管４２の長さに合わせてカバー部材５０の位置が変更された場合でも、開口部３２は塞がれないので、下部ユニット２０の熱交換器２１において熱交換が適正に行われる。
【００５３】
また、本実施形態では、カバー部材５０に、開口部３２の幅Ｗ１以上の幅Ｗ２を有し且つ垂直方向に関して開口部３２の長さＬ１より長い長さＬ２を有する貫通溝５１を形成することによって、カバー部材５０の筐体３０に対する固定位置にかかわらず、開口部３２を塞がないようにするためのカバー部材５０の構成を簡略化できる。
【００５４】
また、本実施形態では、吸い込み管４１と吹き出し管４２とを一箇所にまとめることで、室内側の美観及び簡易設置性が向上する。
【００５５】
また、本実施形態では、部屋内に設けられた室内電源３に接続される電源コード２４ｂ及び部屋内に設けられるコントローラ８０に接続される通信線２４ａがコードリール２４に巻回されているので、吸い込み管４１及び吹き出し管４２の長さに合わせて電源コード２４ｂ及び通信線２４ａの長さを調整できる。この際、室内電源３を利用することができる。
【００５６】
また、本実施形態では、室内パネル７０をカバー部材５０に取り付け可能に構成することによって、梱包時のコンパクト化が実現できる。
【００５７】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味および範囲内でのすべての変更が含まれる。
【００５８】
例えば、上記実施形態では、略Ｌ字形状の固定金具を筐体に形成される係合孔に係合させることにより、カバー部材を所望の位置で固定する例について説明したが、本発明はこれに限らず、カバー部材を所望の位置で固定可能であれば、上記固定金具を含む固定機構に限定されない。
【産業上の利用可能性】
【００５９】
本発明を利用すれば、ユーザーレベルで空気調和機の設置を容易に行うことができる。
【図面の簡単な説明】
【００６０】
【図１】本発明の一実施形態に係る一体型空気調和機の全体構成を示した図である。
【図２】図１に示した一体型空気調和機のカバー部材と筐体の開口部との関係を示した正面図である。
【図３】図１に示した一体型空気調和機の取り付け穴部分の拡大図である。
【図４】図１に示した一体型空気調和機の固定機構の拡大図である。
【図５】図１に示した一体型空気調和機の梱包時の状態を示した図である。
【図６】図５に示した梱包時の一体型空気調和機の室内パネルの取付構造を示した拡大図である。
【図７】図１に示した一体型空気調和機の設置方法を説明するための図である。
【図８】図１に示した一体型空気調和機の設置方法を説明するための図である。
【図９】図１に示した一体型空気調和機の設置方法を説明するための図である。
【符号の説明】
【００６１】
１  一体型空気調和機
１０  上部ユニット
１１  熱交換器
２０  下部ユニット
２１  熱交換器
２４ａ  通信線
２４ｂ  室内電源コード
３０  筐体
３０ａ  上部空間
３０ｂ  下部空間
３２  開口部
３３  係合孔
４１  吸い込み管
４２  吹き出し管
５０  カバー部材
５１  貫通溝
６０  固定機構
７０  室内パネル
８０  コントローラ
【図１】
2009041867.tif 000003
【図２】
2009041867.tif 000004
【図３】
2009041867.tif 000005
【図４】
2009041867.tif 000006
【図５】
2009041867.tif 000007
【図６】
2009041867.tif 000008
【図７】
2009041867.tif 000009
【図８】
2009041867.tif 000010
【図９】
2009041867.tif 000011